【手続補正書】
【提出日】平成30年10月5日(2018.10.5)
【手続補正１】
【補正対象書類名】特許請求の範囲
【補正対象項目名】全文
【補正方法】変更
【補正の内容】
【特許請求の範囲】
【請求項１】
第１プログラムにより表示される第１画面と、第２プログラムにより表示される第２画面と、の一方を表示する表示手段を備えた情報処理装置であって、
前記情報処理装置の特定部位での物理量変化パターンを検出するパターン検出手段と、
前記表示手段が前記第１画面を表示中に前記特定部位に所定の物理量変化パターンが検出されたときに、前記第１画面から前記第２画面に表示を切り替えるように前記表示手段を制御する制御手段と、を備えたことを特徴とする、
情報処理装置。
【請求項２】
前記情報処理装置は、携帯型の情報処理装置であり、
前記特定部位における前記所定の物理量変化パターンは、前記情報処理装置の前記特定部位における前記情報処理装置の動きパターンであることを特徴とする、
請求項１に記載の情報処理装置。
【請求項３】
前記情報処理装置は、携帯型の情報処理装置であり、
前記特定部位における前記所定の物理量変化パターンは、前記情報処理装置の前記特定部位における所定値以上の加速度であることを特徴とする、
請求項１または２に記載の情報処理装置。
【請求項４】
前記情報処理装置は、上端、下端、左端および右端を有する携帯型の情報処理装置であり、
前記特定部位は、前記上端、下端、左端および右端のいずれかであることを特徴とする、
請求項１〜３のいずれか１項に記載の情報処理装置。
【請求項５】
前記第１プログラムに対して前記特定部位での前記所定の物理量変化パターンと前記第２プログラムとを関連付けて記憶する記憶手段をさらに有し、
前記制御手段は、前記表示手段が前記第１画面を表示中に前記特定部位で前記所定の物理量変化パターンが検出されたときに、前記記憶手段を参照し、前記第１プログラムに関連付けられた前記第２プログラムを特定して前記表示手段を制御することを特徴とする、
請求項１〜４のいずれか１項に記載の情報処理装置。
【請求項６】
前記表示手段は、前記第１プログラムに対応する第１アイコンと前記第２プログラムに対応する第２アイコンとを表示する第３画面を表示し、
前記制御手段は、前記第１アイコンと前記第２アイコンとの少なくとも一方のアイコンに対するユーザの操作を検出し、前記第１プログラムに対して前記第２プログラムを関連付けて前記記憶手段に記憶することを特徴とする、
請求項５に記載の情報処理装置。
【請求項７】
前記制御手段は、前記第１プログラムについて削除指示が入力されたときは、前記第１プログラムに関連付けられた前記第２プログラムを削除するか否かをユーザが選択するための第４画面を表示することを特徴とする、
請求項５または６に記載の情報処理装置。
【請求項８】
前記制御手段は、前記第１プログラムに対して前記特定部位での前記所定の物理量変化パターンに関連付けられた前記第２プログラムが前記記憶手段に存在しない場合は、前記パターン検出手段を停止状態とすることを特徴とする、
請求項５〜７のいずれか１項に記載の情報処理装置。
【請求項９】
複数の情報処理装置とこれらの情報処理装置間で動作を連携させるための管理装置とを含む情報処理システムであって、
前記情報処理装置は、第１プログラムにより表示される第１画面と、第２プログラムにより表示される第２画面と、の一方を表示する表示手段を備えた情報処理装置であり、かつ、
前記情報処理装置の特定部位での物理量変化パターンを検出するパターン検出手段と、
前記第１プログラムに対して前記特定部位での所定の物理量変化パターンと前記第２プログラムとを関連付けて記憶する第１記憶手段と、
前記表示手段が前記第１画面を表示中に前記特定部位に前記所定の物理量変化パターンが検出されたときに、前記第１記憶手段を参照して前記第１画面から前記第２画面に表示を切り替えるように前記表示手段を制御する制御手段と、を備え、
前記管理装置は、前記複数の情報処理装置の各第１記憶手段の記憶内容が記憶された第２記憶手段を有し、
前記情報処理装置は、他の情報処理装置から、当該情報処理装置の前記第１記憶手段に記憶された前記第１プログラムを取得したときに、前記第２記憶手段から、前記取得した第１プログラムに関連付けられた前記第２プログラムを取得する、
情報処理システム。
【請求項１０】
第１ドキュメントを表示する第１画面と、第２ドキュメントを表示する第２画面と、の一方を表示する表示手段を備えた情報処理装置であって、
前記情報処理装置の特定部位での物理量変化パターンを検出するパターン検出手段と、
前記表示手段が前記第１画面を表示中に所定の物理量変化パターンが検出されたときに、
前記第１画面から前記第２画面に表示を切り替えるように前記表示手段を制御する制御手段と、を備えたことを特徴とする、
情報処理装置。
【請求項１１】
前記第１ドキュメントに対して前記所定の物理量変化パターンと前記第２ドキュメントとを関連付けて記憶する第３記憶手段をさらに有し、
前記制御手段は、前記表示手段が前記第１画面を表示中に前記所定の物理量変化パターンが検出されたときに、前記第３記憶手段を参照し、前記第１ドキュメントに関連付けられた前記第２ドキュメントを特定し、前記第１画面から前記第２画面に表示を切り替えるように前記表示手段を制御することを特徴とする、
請求項１０に記載の情報処理装置。
【請求項１２】
前記第２ドキュメントに対して前記第２ドキュメントを表示するためのプログラムを関連付けて記憶する第４記憶手段をさらに有し、
前記制御手段は、前記第２ドキュメントを特定した後、前記第４記憶手段を参照して前記第２ドキュメントに関連付けられたプログラムを特定することを特徴とする、
請求項１１に記載の情報処理装置。
【請求項１３】
第１プログラムにより表示される第１画面と、第２ドキュメントを表示する第２画面と、の一方を表示する表示手段を備えた情報処理装置であって、
前記情報処理装置の特定部位での物理量変化パターンを検出するパターン検出手段と、
前記表示手段が前記第１画面を表示中に前記特定部位に所定の物理量変化パターンが検出されたときに、前記第１画面から前記第２画面に表示を切り替えるように前記表示手段を制御する制御手段と、を備えたことを特徴とする、
情報処理装置。
【請求項１４】
第１ドキュメントを表示する第１画面と、第２プログラムにより表示される第２画面と、の一方を表示する表示手段を備えた情報処理装置であって、
前記情報処理装置の特定部位での物理量変化パターンを検出するパターン検出手段と、
前記表示手段が前記第１画面を表示中に前記特定部位に所定の物理量変化パターンが検出されたときに、前記第１画面から前記第２画面に表示を切り替えるように前記表示手段を制御する制御手段と、を備えたことを特徴とする、
情報処理装置。
【請求項１５】
第１プログラムにより表示される第１画面と、第２プログラムにより表示される第２画面と、の一方を表示する表示手段を備えた情報処理装置が実行する情報処理方法であって、
前記情報処理装置の特定部位での物理量変化パターンを検出し、
前記表示手段が前記第１画面を表示中に前記特定部位に所定の物理量変化パターンが検出されたときに、前記第１画面から前記第２画面に表示を切り替えるように前記表示手段を制御することを特徴とする、
情報処理方法。
【請求項１６】
第１プログラムにより表示される第１画面と、第２プログラムにより表示される第２画面と、の一方を表示する表示手段を備えたコンピュータを、
前記コンピュータの特定部位での物理量変化パターンを検出するパターン検出手段、
前記表示手段が前記第１画面を表示中に前記特定部位に所定の物理量変化パターンが検出されたときに、前記第１画面から前記第２画面に表示を切り替えるように前記表示手段を制御する制御手段、
として機能させるためのコンピュータプログラム。